【事件の表示】
　特許第５９４３５６８号発明「インクジェット捺染用ブラックインク組成物及びそれを用いた繊維の捺染方法」の特許異議申立事件について、次のとおり決定する。
【結　論】
　特許第５９４３５６８号の特許請求の範囲を訂正請求書に添付された訂正特許請求の範囲のとおり、訂正後の請求項〔１〜８〕について訂正することを認める。
　特許第５９４３５６８号の請求項１〜３、５〜８に係る特許を維持する。
【理　由】
第１　手続の経緯
　特許第５９４３５６８号の請求項１〜８に係る特許についての出願は、平成２３年８月９日に特許出願され、平成２８年６月３日にその特許権の設定登録がされ、その後、その特許について、特許異議申立人柏木里実（以下、「申立人」という。）により特許異議の申立てがされ、平成２９年２月２８日付けで取消理由が通知され、その指定期間内である同年４月１２日に訂正の請求があり、その訂正の請求に対して、同年５月１０日付けで訂正拒絶理由が通知され、その指定期間内である同年６月１２日に意見書の提出及び手続補正があり、同年同月２３日付けでその補正された訂正の請求を申立人に通知し、期間を指定して意見書を提出する機会を設けたが、申立人から何ら応答がなかったものである。
第２　訂正の適否についての判断
１．訂正の内容
　本件訂正請求による訂正の内容は以下の訂正事項１〜６のとおりである。
（１）訂正事項１　
　特許請求の範囲の請求項１の「・・・であるインクジェット捺染用ブラックインク組成物」を、「・・・であり、更に、（ＩＩＩ）ｐＨ調整剤としてトリス（ヒドロキシメチル）アミノメタンを含有するインクジェット捺染用ブラックインク組成物」に訂正する。
（２）訂正事項２
　特許請求の範囲の請求項１に記載の【化１】「
」を、「
」に訂正する。
（３）訂正事項３
　特許請求の範囲の請求項４を、削除する。
（４）訂正事項４
　特許請求の範囲の請求項５の「請求項１乃至４のいずれか一項に記載」を、「請求項１乃至３のいずれか一項に記載」に訂正する。
（５）訂正事項５
　特許請求の範囲の請求項６の「請求項１乃至５のいずれか一項に記載」を、「請求項１乃至３及び５のいずれか一項に記載」に訂正する。
（６）訂正事項６
　特許請求の範囲の請求項７の「請求項１乃至５のいずれか一項に記載」を、「請求項１乃至３及び５のいずれか一項に記載」に訂正する。
２．訂正の目的、一群の請求項、新規事項、特許請求の範囲の拡張・変更について
　上記訂正事項１は、請求項１に記載された「インクジェット捺染用ブラックインク組成物」に、「更に、（ＩＩＩ）ｐＨ調整剤としてトリス（ヒドロキシメチル）アミノメタンを含有する」ことを特定するものであり、特許請求の範囲の減縮を目的とするものである。
　また、当該「インクジェット捺染用ブラックインク組成物」に、「更に、（ＩＩＩ）ｐＨ調整剤としてトリス（ヒドロキシメチル）アミノメタンを含有する」ことは、本件特許明細書【００３４】に記載されており、新規事項の追加に該当せず、実質上特許請求の範囲を拡張し、または変更するものではない。
　上記訂正事項２は、請求項１に記載された【化１】（１）で表される化学構造式の一部である「
Ｈ
３
Ｎ
Ｈ
２
Ｎ
で表される化学構造式から明らかなとおり、誤記の訂正を目的とするものであり、新規事項の追加に該当せず、実質上特許請求の範囲を拡張し、または変更するものでもない。
　上記訂正事項３は、請求項４を削除するものであるから、特許請求の範囲の減縮を目的とするものであって、新規事項の追加に該当せず、実質上特許請求の範囲を拡張し、または変更するものでもない。
　上記訂正事項４〜６は、上記訂正事項３に対応して、特許請求の範囲の請求項５〜７が引用する請求項４を引用から除くものであるから、他の請求項の記載を引用する請求項の記載を当該他の請求項の記載を引用しないものとすることを目的とするものであって、新規事項の追加に該当せず、実質上特許請求の範囲を拡張し、または変更するものでもない。
　そして、これらの訂正は、一群の請求項に対して請求されたものである。
３．小括
　以上のとおりであるから、本件訂正請求による訂正は、特許法第１２０条の５第２項ただし書き第１号、第２号及び第４号に掲げる事項を目的とするものであり、かつ、同条第４項、及び、同条第９項において準用する同法第１２６条第４項から第６項までの規定に適合するから、訂正後の請求項１〜８について訂正を認める。
第３　特許異議の申立てについて
１．本件発明
　本件訂正請求により訂正された訂正請求項１〜３、５〜８に係る発明（以下、請求項に係る各発明を項番に従って「本件特許発明１」などといい、併せて「本件特許発明」ということもある。）は、その特許請求の範囲の請求項１〜３、５〜８に記載された、次の事項により特定されるとおりのものである。
「【請求項１】
（Ｉ）色素中に、下記式（１）で表される化合物又はその塩と、更にＣ．Ｉ．Ｒｅａｃｔｉｖｅ　Ｂｌｕｅ　１７６とを含有するインクジェット捺染用ブラックインク組成物であって、インク組成物総量中、下記式（１）で表される化合物の含有量が１〜６質量％であり、Ｃ．Ｉ．Ｒｅａｃｔｉｖｅ　Ｂｌｕｅ　１７６の含有量が５〜１５質量％であり、更に、（ＩＩＩ）ｐＨ調整剤としてトリス（ヒドロキシメチル）アミノメタンを含有するインクジェット捺染用ブラックインク組成物。
　　【化１】
 
【請求項２】
（Ｉ）色素中に、更にＣ．Ｉ．Ｒｅａｃｔｉｖｅ　Ｒｅｄ　３：１を、インク組成物総量中１〜１０質量％含有する請求項１に記載のインクジェット捺染用ブラックインク組成物。
【請求項３】
更に、（ＩＩ）水溶性有機溶剤を含有する請求項１又は２に記載のインクジェット捺染用ブラックインク組成物。
【請求項４】
（削除）
【請求項５】
２５℃におけるインク組成物の粘度が３〜２０ｍＰａ・ｓである請求項１及至３のいずれか一項に記載のインクジェット捺染用ブラックインク組成物。
【請求項６】
請求項１乃至３及び５のいずれか一項に記載のインクジェット捺染用ブラックインク組成物、シアンインク組成物、マゼンタインク組成物、及びイエローインク組成物を有するインクジェット捺染用インクセット。
【請求項７】
請求項１乃至３及び５のいずれか一項に記載のインクジェット捺染用ブラックインク組成物をインクとして用い、インクジェットプリンタによりセルロース系繊維に該インクを付与する工程Ａと、該工程により付与したインク中の着色剤を熱により繊維に反応固着させる工程Ｂと、繊維中に残存する未固着の着色剤を洗浄する工程Ｃとを含むことを特徴とするセルロース系繊維の捺染方法。
【請求項８】
１種以上の糊材、アルカリ性物質、還元防止剤及びヒドロトロピー剤を少なくとも含む水溶液を、インクを付与する前の繊維に付与する、繊維の前処理工程Ｄをさらに含むことを特徴とする請求項７に記載のセルロース系繊維の捺染方法。」
２．取消理由の概要
　本件特許の請求項１〜３、５〜８に係る発明は、本件特許の出願の日前の特許出願であって、本件特許の出願後に出願公開がされた甲第１号証または、甲第２号証の特許出願の願書に最初に添付された明細書、特許請求の範囲に記載された発明と同一であり、しかも、本件特許の出願の発明者が本件特許の出願前の特許出願に係る上記の発明をした者と同一ではなく、また本件特許の出願の時において、その出願人が上記特許出願の出願人と同一でもなく、特許法第２９条の２の規定により特許を受けることができないから、その発明に係る特許は取り消すべきものである。
（なお、特許異議申立書に記載された特許異議申立理由も同趣旨である。）
３．甲第１号証及び甲第２号証の記載
（１）甲第１号証
　申立人が、甲第１号証として提出した特開２０１１−１９５６７９号公報（公開日：平成２３年１０月６日）は、本件特許についての出願日（平成２３年８月９日）より前の平成２２年３月１８日を出願日とする特願２０１０−０６２９５６号の公開公報であって、本件特許の出願後に公開されたものであり、その願書に最初に添付された明細書及び特許請求の範囲（以下、「甲１」という。）には、以下の事項が記載されている。
（１−１）「【請求項１】
　色材として、ブルー系反応染料、レッド系反応染料およびオレンジ系反応染料と、水と、を少なくとも含んでなり、前記オレンジ系反応染料が、Ｃ．Ｉリアクティブオレンジ９９を含んでなる、インクジェット捺染用インク組成物。
 ・・・・・・ 
【請求項３】
　前記ブルー系反応染料が、インク組成物に対して、９．５〜１１．９質量％含まれ、前記レッド系反応染料が、インク組成物に対して、１．０〜１．３質量％含まれ、前記オレンジ系反応染料が、インク組成物に対して、１．８〜２．３質量％含まれる、請求項１または２に記載のインク組成物。
【請求項４】
　前記ブルー系反応染料がＣ．Ｉ．リアクティブブルー１７６を含んでなり、前記レッド系反応染料がＣ．Ｉ．リアクティブレッド３：１を含んでなる、請求項１〜３のいずれか一項に記載のインク組成物。」（特許請求の範囲）
（１−２）「【０００４】
　また、インクジェット方式は、イエロー、シアン、マゼンタおよびブラックの基本４色のインクセットにより、ほぼ全ての領域の色相をカバーできることも、その利点である。また、近年においては、印画品質を高め、より高精細な画像形成を行うために、上記基本４色に、中間色（例えば、レッドやブルーなど）を加えたインクセットを用いることも行われている。」
（１−３）「【０００８】
　したがって、本発明の目的は、従来のブラックインクよりも青みがかった独創的かつ特徴的な色相を呈するとともに、良好な染着濃度の布帛が得られ、かつ吐出安定性等のインクジェット適性にも優れたインクジェット捺染用インク組成物を提供することである。
【０００９】
　そして、本発明によるインクジェット捺染用インク組成物は、色材として、ブルー系反応染料、レッド系反応染料およびオレンジ系反応染料と、水と、を少なくとも含んでなり、前記オレンジ系反応染料が、Ｃ．Ｉリアクティブオレンジ９９を含んでなるものである。
【００１０】
　本発明によれば、ブルー系反応染料、レッド系反応染料およびオレンジ系反応染料を色材として含むインク組成物において、オレンジ系反応染料としてＣ．Ｉリアクティブオレンジ９９を含み、また、これら色材の反応染料と１，２−アルカンジオールとを併用することにより、従来のブラックインクよりも青みがかった独創的かつ特徴的な色相を呈するとともに、良好な染着濃度の布帛が得られ、かつ吐出安定性等のインクジェット適性にも優れたインク組成物を実現することができる。」
（１−４）「【００１２】
＜色材＞
　本発明によるインク組成物は、色材として、ブルー系反応染料、レッド系反応染料およびオレンジ系反応染料の少なくとも３種の反応染料を用いるものである。すなわち、ブラック系反応染料に代えて、ブルー系反応染料、レッド系反応染料およびオレンジ系反応染料を混合して用いる、いわゆるコンポジットブラック系のインク組成物である。本発明においては、上記の３種の反応染料のうち、オレンジ系反応染料が、Ｃ．Ｉリアクティブオレンジ９９を含むものである。ブルー系反応染料、レッド系反応染料およびオレンジ系反応染料からなるコンポジットブラック系インク組成物において、オレンジ系反応染料としてＣ．Ｉリアクティブオレンジ９９を用いることにより、従来のブラックインクよりも青みがかった独創的かつ特徴的な色相を実現することができる。」
（１−５）「【００２１】
＜水、その他の成分＞
　本発明によるインク組成物には、インクジェットプリンタの記録ヘッドのノズルからの吐出安定性を向上させる観点から、保湿剤を含有させることが好ましい。保湿剤としては、通常のインクジェット捺染用インク組成物に保湿剤として使用されている化合物を用いることができ、例えば、グリセリン、エチレングリコール、ジエチレングリコール、トリエチレングリコール、テトラエチレングリコール、ポリエチレングリコール、プロピレングリコール、ジプロピレングリコール、ポリプロピレングリコール、１，３−プロパンジオール、１，４−ブタンジオール、１，５−ペンタンジオール、１，６−ヘキサンジオール、１，２，６−ヘキサントリオール、またはペンタエリスリトール等のポリオール類、およびそのエーテルまたはエステル等の誘導体；Ｎ−メチル−２−ピロリドン、またはε−カプロラクタム等のラクタム類；尿素、チオ尿素、エチレン尿素、または１，３−ジメチルイミダゾリジノン類等の尿素類；マルチトール、ソルビトール、グルコノラクトン、またはマルトース等の糖類等を挙げることができ、これらの一種または二種以上を用いることができる。前記保湿剤の含有量は、インク組成物の全質量に対して、好ましくは４〜４０質量％である。」
（１−６）「【００２５】
　本発明によるインク組成物には、さらに必要に応じて、防黴剤、防腐剤、酸化防止剤、紫外線吸収剤、キレート剤、酸素吸収剤、ｐＨ調整剤（例えば、トリエタノールアミン）、または溶解助剤等のように、インクジェット捺染用のインク組成物において通常用いることができる各種添加剤の一種または二種以上を含有させることができる。」
（１−７）「【００２７】
　本発明によるインク組成物は、印字品質とインクジェット捺染用インク組成物としての信頼性とのバランスの観点から、表面張力が２５〜４０ｍＮ／ｍであることが好ましく、２８〜３５ｍＮ／ｍであることがさらに好ましい。また、同様の観点から、本発明によるインク組成物の２０℃における粘度は、１．５〜１０ｍＰａ・ｓであることが好ましく、２〜８ｍＰａ・ｓであることがさらに好ましい。表面張力および粘度を前記範囲内とするには、前記染料の濃度を調整する方法、前記保湿剤の種類や添加量等を調整する手段等を用いることができる。」
（１−８）「【００２９】
　本発明のインク組成物を用いて布帛に対してインクジェット捺染方法を実施する場合には、通常のインクジェット捺染と同様に、予め、前処理剤を用いて布帛を前処理しておくことが好ましい。布帛の前処理は、前処理剤中に布帛を浸積するか、前処理剤を布帛に塗布または噴霧する等の手段を用いて、布帛に前処理剤を付着させた後、布帛を乾燥することにより行われる。
【００３０】
　布帛の前処理剤としては、水溶性高分子化合物等の糊剤を０．０１〜２０質量％の量とアルカリ発生剤を１〜５質量％の量とで含有させた水溶液を用いることができる。前記糊剤としては、例えば、トウモロコシ、または小麦等のデンプン物質；カルボキシメチルセルロース、またはヒドロキシメチルセルロース等のセルロース系物質；アルギン酸ナトリウム、アラビヤゴム、ローカストビーンガム、トラントガム、グアーガム、またはタマリンド種子等の多糖類；ゼラチン、またはカゼイン等のタンパク質；タンニン；リグニン等の天然水溶性高分子や、ポリビニルアルコール系化合物、ポリエチレンオキサイド系化合物、アクリル酸系化合物、または無水マレイン酸系化合物等の合成水溶性高分子化合物を挙げることができる。上記のアルカリ発生剤としては、炭酸水素ナトリウム、炭酸ナトリウム等を挙げることができる。前処理剤には、必要に応じて、尿素、またはチオ尿素等の保湿剤、ｐＨ調整剤、還元防止剤、浸透剤、金属イオン封鎖剤、あるいは消泡剤等の各種添加剤を含有させることもできる。
【００３１】
　また、本発明のインク組成物を用いて布帛に対してインクジェット捺染方法を実施する場合には、布帛に対してインク組成物を吐出し、文字および／または画像を印刷した後に、染料固着処理を行う。染料固着処理方法としては、従来の捺染方法における染料固着処理方法と同様の方法、例えば、常圧スチーム法、高圧スチーム法、またはサーモフィックス法等を挙げることができる。染料固着処理後は、常法通り、布帛を水洗し、乾燥する。必要に応じソーピング処理（未固着の染料を熱石鹸液等で洗い落とす処理）を実施してもよい。」
  
（１−９）「【００３３】
インク組成物の調製
　下記の表１〜表３に従って各成分を混合して、インク組成物を調製した。
【表１】
 
 ・・・・・・
【００３５】
【表３】
【００３６】
色相判定
　下記の前処理液を綿布に塗布し、マングルにてピックアップ率２０％で絞って乾燥させた。この前処理を行った絹布帛に、ＰＸ−Ｇ９３０プリンタ（セイコーエプソン社製）により、得られた例１〜例２１の各インク組成物を用いて印捺を行った。印捺した布を１０３℃×１０分にてスチーミングして定着させた後、ラッコールＳＴＡ（明成化学社製）０．２％水溶液を用いて、５５℃で１０分間洗浄し、乾燥させたものを試験片とした。
 ＜前処理液＞
 　アルギン酸ナトリウム　　　　　　　１．０重量％
 　グアガム　　　　　　　　　　　　　１．０重量％
 　硫酸アンモニウム　　　　　　　　　４．０重量％
 　尿素　　　　　　　　　　　　　　１０．０重量％
 　超純水　　　　　　　　　　　　　　　　　残量
【００３７】
　得られた各試験片について、分光光度計スペクトリノ（グレタグマクベス社製）を用いてＬａｂ値の測色を行、ａ＊およびｂ＊値を算出した。なお、Ｌａｂ値はＣＩＥ−Ｌａｂ表示色系を採用した。得られたａ＊およびｂ＊値から、下記の基準により色相の判定を行った。但し、色相が下記の範囲内にあるものでも、上記で測定したＤｂ値が１．４以下のものは対象外とした。
　ランクＡ：　−４．１９≦ａ＊≦−２．６７、かつ−９．３３≦ｂ＊≦−６．１９
　ランクＢ：　−６．００≦ａ＊≦−１．００、かつ−１２．００≦ｂ＊≦−３．５０
（但し、−４．１９≦ａ＊≦−２．６７、かつ−９．３３≦ｂ＊≦−６．１９の範囲内にあるものを除く）
　ランクＣ：ａ＊およびｂ＊値が、ランクＡおよびランクＢ以外の範囲にあるもの
　判定結果は、下記の表４および表５に示される通りであった。
【００３８】
【表４】
 
【００３９】
染着濃度評価
　例１５〜例２１の各インク組成物についても、上記と同様にして絹布帛に捺染を行い、試験片を作製した。得られた各試験片について、分光光度計スペクトリノ（グレタグマクベス社製）を用いて光学密度Ｄｅｎｓｉｔｙ　Ｂｌａｃｋ（Ｄｂ値）を測定した。測定したＤｂ値をもとに、以下の基準により染着濃度の評価を行った。
　１点：Ｄｂ値が１．５０未満
　２点：Ｄｂ値が１．５０以上、１．５２未満
　３点：Ｄｂ値が１．５２以上、１．５４未満
　４点：Ｄｂ値が１．５４以上、１．５６未満
　５点：Ｄｂ値が１．５６以上、１．５８未満
　６点：Ｄｂ値が１．５８以上、１．６０未満
　７点：Ｄｂ値が１．６０以上
　評価結果は、下記の表５に示される通りであった。
【００４０】
吐出安定性の評価
　例１５〜例２１の各インク組成物について、ＰＸ−Ｇ９３０プリンタ（セイコーエプソン社製）のインクカートリッジに充填し、記録紙５００枚に連続して印刷した後、約１時間印字を停止し、その後、記録紙１０００枚に連続して印刷した後、約１２時間印字を停止し、その直後に印字を再開した際の吐出曲がりや吐出抜けを目視により確認した。なお、吐出曲がりや抜けが発生した場合には、ヘッドクリーニング操作を実施して全ノズルを復帰させてから、印字を再開し、吐出曲がりや吐出抜けの確認を行った。評価基準は以下の通りとした。
　５点：曲がりおよび抜けがない
　４点：曲がりまたは抜けが１回
　３点：曲がりまたは抜けが２回
　２点：曲がりまたは抜けが３回
　１点：曲がりまたは抜けが６回
　評価結果は、下記の表５に示される通りであった。
【００４１】
【表５】 
 
 」
（２）甲第２号証
　申立人が、甲第２号証として提出した特開２０１１−１９５６８０号公報（公開日：平成２３年１０月６日）は、本件特許についての出願日（平成２３年８月９日）より前の平成２２年３月１８日を出願日とする特願２０１０−０６２９６１号の公開公報であって、本件特許の出願後に公開されたものであり、その願書に最初に添付された明細書及び特許請求の範囲（以下、「甲２」という。）には、以下の事項が記載されている。
（２−１）「【請求項１】
　色材として、ブルー系反応染料、レッド系反応染料およびオレンジ系反応染料と、１，２−アルカンジオールと、水と、を少なくとも含んでなり、前記ブルー系反応染料がＣ．Ｉ．リアクティブブルー１７６を含んでなり、前記レッド系反応染料がＣ．Ｉ．リアクティブレッド３：１を含んでなり、前記オレンジ系反応染料が、Ｃ．Ｉリアクティブオレンジ９９を含んでなる、インクジェット捺染用インク組成物。 
【請求項２】
　前記ブルー系反応染料が、インク組成物に対して、９．５〜１１．９質量％含まれ、前記レッド系反応染料が、インク組成物に対して、１．０〜１．３質量％含まれ、前記オレンジ系反応染料が、インク組成物に対して、１．８〜２．３質量％含まれる、請求項１に記載のインク組成物。」（特許請求の範囲） 
（２−２）「【０００４】
　また、インクジェット方式は、イエロー、シアン、マゼンタおよびブラックの基本４色のインクセットにより、ほぼ全ての領域の色相をカバーできることも、その利点である。また、近年においては、印画品質を高め、より高精細な画像形成を行うために、上記基本４色に、中間色（例えば、レッドやブルーなど）を加えたインクセットを用いることも行われている。」
（２−３）「【０００８】
　したがって、本発明の目的は、従来のブラックインクよりも青みがかった独創的かつ特徴的な色相を呈するとともに、良好な染着濃度の布帛が得られ、かつ吐出安定性等のインクジェット適性にも優れたインクジェット捺染用インク組成物を提供することである。 
・・・・・・
【００１０】
　本発明によれば、ブルー系反応染料、レッド系反応染料およびオレンジ系反応染料を色材として含むインク組成物において、特定の反応染料と１，２−アルカンジオールとを併用することにより、従来のブラックインクよりも青みがかった独創的かつ特徴的な色相を呈するとともに、良好な染着濃度の布帛が得られ、かつ吐出安定性等のインクジェット適性にも優れたインク組成物を実現することができる。」
（２−４）「【００１２】
＜色材＞
　本発明によるインク組成物は、色材として、ブルー系反応染料、レッド系反応染料およびオレンジ系反応染料の少なくとも３種の反応染料を用いるものである。すなわち、ブラック系反応染料に代えて、ブルー系反応染料、レッド系反応染料およびオレンジ系反応染料を混合して用いる、いわゆるコンポジットブラック系のインク組成物である。本発明において使用される色材である上記の３種の反応染料は、ブルー系反応染料としてＣ．Ｉ．リアクティブブルー１７６を含み、レッド系反応染料としてＣ．Ｉ．リアクティブレッド３：１を含み、オレンジ系反応染料としてＣ．Ｉリアクティブオレンジ９９を含むものである。このような特定の反応染料を組み合わせて用いることにより、従来のブラックインクよりも青みがかった独創的かつ特徴的な色相を実現することができる。また、これら反応染料を色材として含むインク組成物において、１，２−アルカンジオールを添加することにより、優れた吐出安定性と高い染着濃度とを両立することができる。」
（２−５）「【００１９】
＜水、その他の成分＞
　本発明によるインク組成物には、インクジェットプリンタの記録ヘッドのノズルからの吐出安定性を向上させる観点から、保湿剤を含有させることが好ましい。保湿剤としては、通常のインクジェット捺染用インク組成物に保湿剤として使用されている化合物を用いることができ、例えば、グリセリン、エチレングリコール、ジエチレングリコール、トリエチレングリコール、テトラエチレングリコール、ポリエチレングリコール、プロピレングリコール、ジプロピレングリコール、ポリプロピレングリコール、１，３−プロパンジオール、１，４−ブタンジオール、１，５−ペンタンジオール、１，６−ヘキサンジオール、１，２，６−ヘキサントリオール、またはペンタエリスリトール等のポリオール類、およびそのエーテルまたはエステル等の誘導体；Ｎ−メチル−２−ピロリドン、またはε−カプロラクタム等のラクタム類；尿素、チオ尿素、エチレン尿素、または１，３−ジメチルイミダゾリジノン類等の尿素類；マルチトール、ソルビトール、グルコノラクトン、またはマルトース等の糖類等を挙げることができ、これらの一種または二種以上を用いることができる。前記保湿剤の含有量は、インク組成物の全質量に対して、好ましくは４〜４０質量％である。」
（２−６）「【００２３】
　本発明によるインク組成物には、さらに必要に応じて、防黴剤、防腐剤、酸化防止剤、紫外線吸収剤、キレート剤、酸素吸収剤、ｐＨ調整剤（例えば、トリエタノールアミン）、または溶解助剤等のように、インクジェット捺染用のインク組成物において通常用いることができる各種添加剤の一種または二種以上を含有させることができる。」
（２−７）「【００２５】
　本発明によるインク組成物は、印字品質とインクジェット捺染用インク組成物としての信頼性とのバランスの観点から、表面張力が２５〜４０ｍＮ／ｍであることが好ましく、２８〜３５ｍＮ／ｍであることがさらに好ましい。また、同様の観点から、本発明によるインク組成物の２０℃における粘度は、１．５〜１０ｍＰａ・ｓであることが好ましく、２〜８ｍＰａ・ｓであることがさらに好ましい。表面張力および粘度を前記範囲内とするには、前記染料の濃度を調整する方法、前記保湿剤の種類や添加量等を調整する手段等を用いることができる。」
（２−８）「【００２７】
　本発明のインク組成物を用いて布帛に対してインクジェット捺染方法を実施する場合には、通常のインクジェット捺染と同様に、予め、前処理剤を用いて布帛を前処理しておくことが好ましい。布帛の前処理は、前処理剤中に布帛を浸積するか、前処理剤を布帛に塗布または噴霧する等の手段を用いて、布帛に前処理剤を付着させた後、布帛を乾燥することにより行われる。
【００２８】
　布帛の前処理剤としては、水溶性高分子化合物等の糊剤を０．０１〜２０質量％の量とアルカリ発生剤を１〜５質量％の量とで含有させた水溶液を用いることができる。前記糊剤としては、例えば、トウモロコシ、または小麦等のデンプン物質；カルボキシメチルセルロース、またはヒドロキシメチルセルロース等のセルロース系物質；アルギン酸ナトリウム、アラビヤゴム、ローカストビーンガム、トラントガム、グアーガム、またはタマリンド種子等の多糖類；ゼラチン、またはカゼイン等のタンパク質；タンニン；リグニン等の天然水溶性高分子や、ポリビニルアルコール系化合物、ポリエチレンオキサイド系化合物、アクリル酸系化合物、または無水マレイン酸系化合物等の合成水溶性高分子化合物を挙げることができる。上記のアルカリ発生剤としては、炭酸水素ナトリウム、炭酸ナトリウム等を挙げることができる。前処理剤には、必要に応じて、尿素、またはチオ尿素等の保湿剤、ｐＨ調整剤、還元防止剤、浸透剤、金属イオン封鎖剤、あるいは消泡剤等の各種添加剤を含有させることもできる。
【００２９】
　また、本発明のインク組成物を用いて布帛に対してインクジェット捺染方法を実施する場合には、布帛に対してインク組成物を吐出し、文字および／または画像を印刷した後に、染料固着処理を行う。染料固着処理方法としては、従来の捺染方法における染料固着処理方法と同様の方法、例えば、常圧スチーム法、高圧スチーム法、またはサーモフィックス法等を挙げることができる。染料固着処理後は、常法通り、布帛を水洗し、乾燥する。必要に応じソーピング処理（未固着の染料を熱石鹸液等で洗い落とす処理）を実施してもよい。」
（２−９）「【００３１】
インク組成物の調製
　下記の表１に従って各成分を混合して、インク組成物を調製した。
【表１】
【００３２】
染着濃度評価
　下記の前処理液を綿布に塗布し、マングルにてピックアップ率２０％で絞って乾燥させた。この前処理を行った絹布帛に、ＰＸ−Ｇ９３０プリンタ（セイコーエプソン社製）により、得られた例１〜例８の各インクを用いて印捺を行った。印捺した布を１０３℃×１０分にてスチーミングして定着させた後、ラッコールＳＴＡ（明成化学社製）０．２％水溶液を用いて、５５℃で１０分間洗浄し、乾燥させたものを試験片とした。得られた試験片に対して、分光光度計スペクトリノ（グレタグマクベス社製）を用いて光学密度Ｄｅｎｓｉｔｙ　Ｂｌａｃｋ（Ｄｂ値）を測定した。
＜前処理液＞
　アルギン酸ナトリウム　　　　　　　１．０重量％
　グアガム　　　　　　　　　　　　　１．０重量％
　硫酸アンモニウム　　　　　　　　　４．０重量％
　尿素　　　　　　　　　　　　　　１０．０重量％
　超純水　　　　　　　　　　　　　　　　　残量
【００３３】
　測定したＤｂ値をもとに、以下の基準により染着濃度の評価を行った。
　１点：Ｄｂ値が１．５０未満
　２点：Ｄｂ値が１．５０以上、１．５２未満
　３点：Ｄｂ値が１．５２以上、１．５４未満
　４点：Ｄｂ値が１．５４以上、１．５６未満
　５点：Ｄｂ値が１．５６以上、１．５８未満
　６点：Ｄｂ値が１．５８以上、１．６０未満
　７点：Ｄｂ値が１．６０以上
　評価結果は、下記の表２に示される通りであった。
【００３４】
吐出安定性の評価
　上記で得られた各インクを、ＰＸ−Ｇ９３０プリンタ（セイコーエプソン社製）のインクカートリッジに充填し、記録紙５００枚に連続して印刷した後、約１時間印字を停止し、その後、記録紙１０００枚に連続して印刷した後、約１２時間印字を停止し、その直後に印字を再開した際の吐出曲がりや吐出抜けを目視により確認した。なお、吐出曲がりや抜けが発生した場合には、ヘッドクリーニング操作を実施して全ノズルを復帰させてから、印字を再開し、吐出曲がりや吐出抜けの確認を行った。評価基準は以下の通りとした。
　５点：曲がりおよび抜けがない
　４点：曲がりまたは抜けが１回
　３点：曲がりまたは抜けが２回
　２点：曲がりまたは抜けが３回
　１点：曲がりまたは抜けが６回
　評価結果は、下記の表２に示される通りであった。
【００３５】
色相判定
　上記で得られた各試験片について、分光光度計スペクトリノ（グレタグマクベス社製）を用いてＬａｂ値の測色を行、ａ＊およびｂ＊値を算出した。なお、Ｌａｂ値はＣＩＥ−Ｌａｂ表示色系を採用した。得られたａ＊およびｂ＊値から、下記の基準により色相の判定を行った。但し、色相が下記の範囲内にあるものでも、上記で測定したＤｂ値が１．４以下のものは対象外とした。
　ランクＡ：　−４．１９≦ａ＊≦−２．６７、かつ−９．３３≦ｂ＊≦−６．１９
　ランクＢ：　−６．００≦ａ＊≦−１．００、かつ−１２．００≦ｂ＊≦−３．５０
（但し、−４．１９≦ａ＊≦−２．６７、かつ−９．３３≦ｂ＊≦−６．１９の範囲内にあるものを除く）
　ランクＣ：ａ＊およびｂ＊値が、ランクＡおよびランクＢ以外の範囲にあるもの
　判定結果は、下記の表２に示される通りであった。
【００３６】
【表２】
」
４．当審における判断
（１）甲１について
（１−１）甲１に記載された発明
　甲１には、上記３．（１−１）より、色材として、ブルー系反応染料およびオレンジ系反応染料と、水と、を少なくとも含んでなり、前記オレンジ系反応染料が、Ｃ．Ｉリアクティブオレンジ９９を含んでなる、インクジェット捺染用インク組成物であり、前記ブルー系反応染料が、インク組成物に対して、９．５〜１１．９質量％含まれ、前記オレンジ系反応染料が、インク組成物に対して、１．８〜２．３質量％含まれること、更に、前記ブルー系反応染料がＣ．Ｉ．リアクティブブルー１７６を含んでいることが記載され、上記３．（１−９）に前記インクジェット捺染用インク組成物に対応した実施例も記載されている。
　なお、甲１では、上記３．（１−９）の【表１】及び【表３】の「Ｃ．Ｉ．Ｒｅａｃｔｉｖｅ　Ｏｒａｎｇｅ　９９」以外「Ｃ．Ｉリアクティブオレンジ９９」と記載されているが、「Ｃ．Ｉ．」は「Ｃｏｌｏｒ　Ｉｎｄｅｘ」の略称であることは色の技術分野において周知であり、「Ｃ．Ｉリアクティブオレンジ９９」は、「Ｃ．
Ｉ．
　これらの記載に基づくと、甲１には、「色材として、ブルー系反応染料であるＣ．Ｉ．リアクティブブルー１７６をインク組成物に対して９．５〜１１．９質量％およびオレンジ系反応染料であるＣ．Ｉ．リアクティブオレンジ９９をインク組成物に対して、１．８〜２．３質量％と、水と、を少なくとも含んでなるインクジェット捺染用インク組成物。」の発明（以下、「甲１発明」という。）が記載されているといえる。
（１−２）本件特許発明１と甲１発明の対比・判断
　甲１発明の「色材として」は、本件特許発明１の「色素中に」に相当し、甲１発明の「インクジェット捺染用インク組成物」 は、上記３．（１−３）及び（１−４）の記載から ブルー系反応染料およびオレンジ系反応染料を含むコンポジットブラック系インク組成物であることから、本件特許発明１の「インクジェット捺染用ブラックインク組成物」に相当する。
　そこで、 本件特許発明１と甲１発明とを対比すると、両者は、「色素中に、オレンジ系反応染料と、さらにＣ．Ｉ．リアクティブブルー１７６をとを含有するインクジェット捺染用ブラックインク組成物であって、インク組成物総量中、オレンジ系反応染料の含有量が１．８〜２．３質量％であり、Ｃ．Ｉ．リアクティブブルー１７６の含有量が９．５〜１１．９質量％であるインクジェット捺染用ブラックインク組成物」である点で一致し、以下の点で相違している。
（相違点１）オレンジ系反応染料として、本件特許発明１は「式（１）で表される化合物又はその塩」（化学構造式は省略）であるのに対して、甲１発明は「Ｃ．Ｉ．リアクティブオレンジ９９」である点。
（相違点２）インクジェット捺染用ブラックインク組成物において、本件特許発明１は、「更に、（ＩＩＩ）ｐＨ調整剤としてトリス（ヒドロキシメチル）アミノメタンを含有する」のに対して、甲１発明には、ｐＨ調整剤について特定されていない点。
　以下、（相違点１）、（相違点２）について、検討する。
　（相違点１）について
　本件特許発明１の式（１）で表される化合物は、本件特許明細書にその化学構造式が記載され、その名称について記載されていないが、式（１）で表される化合物の化学構造式から７−［［２−［（アミノカルボニル）アミノ]−４−［［４−クロロ−６−［（２−スルホエチル）アミノ−１，３，５−トリアジン−２−イル］アミノ］フェニル]アゾ］−１，３，６−ナフタレントリスルホン酸という名称の化合物であることは、当業者に公知であり、また、当該化合物は、「Ｃ．Ｉ．リアクティブオレンジ９９」の別名でも知られているものである（必要であれば、ＳＴＮ、Reactive Orange 99に関する検索報告（甲第３号証）参照。）。
　したがって、（相違点１）は、結果的に同じ化合物を示しているから、実質的な相違点とはならない。
　（相違点２）について
　甲１には、上記３．（１−６）より当該「インクジェット捺染用インク組成物」に含有させることができる添加剤として、「ｐＨ調整剤（例えば、トリエタノールアミン）」が記載されている。
　しかし、甲１には、「ｐＨ調整剤」として「トリエタノールアミン」が例示されているに過ぎず、本件特許発明１の「（ＩＩＩ）ｐＨ調整剤」としての「トリス（ヒドロキシメチル）アミノメタン」は、甲１のどこにも記載されていない。
　また、本件特許発明１の「トリス（ヒドロキシメチル）アミノメタン」は、本件特許発明の出願時における当業者において「ｐＨ調整剤」として選択することが技術常識であるという証拠に足る事実も認められない。
　そうすると、（相違点２）は、実質的な相違点となる。
　したがって、本件特許発明１は、甲１発明と（相違点２）において相違することから、甲１に記載された発明ということができない。
（１−３）本件特許発明２〜３、５〜８について
　本件特許発明２は、本件特許発明１を引用し、色素中にさらに、「Ｃ．Ｉ．Ｒｅａｃｔｉｖｅ　Ｒｅｄ　３：１を、インク組成物総量中１〜１０質量％含有する」と特定するものである。
　本件特許発明３は、本件特許発明１を引用し、インクジェット捺染用ブラックインク組成物にさらに「（ＩＩ）水溶性有機溶剤を含有する」と特定するものである。
　本件特許発明５は、本件特許発明１を引用し、インク組成物の２５℃における粘度を「３〜２０ｍＰａ・ｓ」の範囲に特定するものである。
　本件特許発明６は、本件特許発明１のインク組成物を引用し、ほかに、シアンインク組成物、マゼンタインク組成物、及びイエローインク組成物を有するインクジェット捺染用インクセットとするものである。
　本件特許発明７は、本件特許発明１に記載のインクジェット捺染用ブラックインク組成物を用い、工程Ａ〜工程Ｃを含むセルロース系繊維の捺染方法、本件特許発明８は、本願特許発明７を引用し、さらに、繊維の前処理工程Ｄを含むセルロース系繊維の捺染方法とするものである。
　上記のとおり、本件特許発明２〜８は、いずれも本件特許発明１を引用し、それぞれの発明特定事項を、さらに特定した発明である。
　しかしながら、本件特許発明１は、上記４．（１−２）で検討したとおり、甲１に記載された発明ということができないから、本件特許発明を引用する本件特許発明２〜３、５〜８についても、本件特許発明１と同様に、甲１に記載された発明ということはできない。
（２）甲２について
（２−１）甲２に記載された発明
　甲２には、上記３．（２−１）より、色材として、ブルー系反応染料およびオレンジ系反応染料と、水と、を少なくとも含んでなり、前記ブルー系反応染料がＣ．Ｉ．リアクティブブルー１７６を含んでなり、前記オレンジ系反応染料が、Ｃ．Ｉリアクティブオレンジ９９を含んでなる、インクジェット捺染用インク組成物であること、前記ブルー系反応染料が、インク組成物に対して、９．５〜１１．９質量％含まれ、前記オレンジ系反応染料が、インク組成物に対して、１．８〜２．３質量％含まれることが記載され、上記３．（２−９）に前記インクジェット捺染用インク組成物に対応する実施例が記載されている。
　なお、甲２では、上記３．（２−９）の「Ｃ．Ｉ．Ｒｅａｃｔｉｖｅ　Ｏｒａｎｇｅ　９９」以外「Ｃ．Ｉリアクティブオレンジ９９」と記載されているが、「Ｃ．Ｉ．」は「Ｃｏｌｏｒ　Ｉｎｄｅｘ」の略称であることは色を扱う技術分野においては周知であり、「Ｃ．Ｉリアクティブオレンジ９９」は、「Ｃ．
Ｉ．
　これらの記載に基づくと、甲２には、「色材として、ブルー系反応染料およびオレンジ系反応染料と、水と、を少なくとも含んでなり、前記ブルー系反応染料としてＣ．Ｉ．リアクティブブルー１７６をインク組成物に対して９．５〜１１．９質量％含んでなり、前記オレンジ系反応染料としてＣ．Ｉリアクティブオレンジ９９をインク組成物に対して、１．８〜２．３質量％含んでなる、インクジェット捺染用インク組成物。」の発明（以下、「甲２発明」という。）が記載されているといえる。
（２−２）本件特許発明１と甲２発明の対比・判断
　甲２発明の「色材として」は、本件特許発明の「色素中に」に相当し、甲２発明の「インクジェット捺染用インク組成物」 は、上記（２−３）及び（２−４）の記載から ブルー系反応染料およびオレンジ系反応染料を含むコンポジットブラック系インク組成物であるから、本件特許発明１の「インクジェット捺染用ブラックインク組成物」に相当する。
　そこで、 本件特許発明１と甲２発明とを対比すると、両者は、「色素中に、オレンジ系反応染料と、さらにＣ．Ｉ．リアクティブブルー１７６をとを含有するインクジェット捺染用ブラックインク組成物であって、インク組成物総量中、オレンジ系反応染料の含有量が１．８〜２．３質量％であり、Ｃ．Ｉ．リアクティブブルー１７６の含有量が９．５〜１１．９質量％であるインクジェット捺染用ブラックインク組成物」である点で一致し、以下の点で相違している。
（相違点３）オレンジ系反応染料として、本願特許発明１は「式（１）で表される化合物又はその塩」（化学構造式は省略）であるのに対して、甲２発明は「Ｃ．Ｉ．リアクティブオレンジ９９」である点。
（相違点４）インクジェット捺染用ブラックインク組成物において、本件特許発明１は、「更に、（ＩＩＩ）ｐＨ調整剤としてトリス（ヒドロキシメチル）アミノメタンを含有する」のに対して、甲２発明には、ｐＨ調整剤について特定されていない点。
　以下、（相違点３）、（相違点４）について、検討する。
　（相違点３）については、上記４．（１−２）の（相違点１）で検討したとおり、「式（１）で表される化合物又はその塩」と「Ｃ．Ｉ．リアクティブオレンジ９９」は、結果的に同じ化合物を示しているから、実質的な相違点とはならない。
　（相違点４）について
　甲２には、上記３．（２−６）によれば当該「インクジェット捺染用インク組成物」に含有させることができる添加剤として、「ｐＨ調整剤（例えば、トリエタノールアミン）」が記載されている。
　しかし、甲２には、「ｐＨ調整剤」として「トリエタノールアミン」が例示されているに過ぎず、本件特許発明１の「（ＩＩＩ）ｐＨ調整剤」としての「トリス（ヒドロキシメチル）アミノメタン」は甲２のどこにも記載されていない。
　また、本件特許発明１の「トリス（ヒドロキシメチル）アミノメタン」は、本件特許発明の出願時における当業者において「ｐＨ調整剤」として選択することが技術常識であるという証拠に足る事実も認められない。
　そうすると、（相違点４）は、実質的な相違点となる。
　したがって、本件特許発明１は、甲２発明と（相違点４）において相違することから、甲２に記載された発明ということはできない。
（２−３）本件特許発明２〜３、５〜８について
　本件特許発明２〜３、５〜８には、上記４．（１−３）で摘示した発明が記載されている。
　そして、本件特許発明２〜３、５〜８は、いずれも本件特許発明１を引用し、それぞれの発明特定事項を、さらに、特定した発明であり、加えて、本件特許発明１は、上記４．（２−２）で検討したとおり、甲２に記載された発明ではないから、本件特許発明２〜３、５〜８も、本件特許発明１と同様に、甲２に記載された発明ということはできない。
（３）申立人の主張について
　申立人は、訂正請求前の本件特許請求の範囲の請求項１〜３及び５〜８に係る発明に対し、甲１または甲２に記載された発明と同一であると主張して、特許異議の申立てを行った（なお、同請求項４に係る発明については、特許異議の申立てを行わなかった。）。
　しかし、上記第２で検討したとおり、本件訂正請求が認められた結果、本件特許発明は、上記第３　１．のとおりとなり、申立人が特許異議の申立てを行わなかった訂正請求前の請求項４に係る発明の「更に、（ＩＩＩ）ｐＨ調整剤としてトリス（ヒドロキシメチル）アミノメタンを含有する」点を発明特定事項として含むものとなった。
　そして、本件特許発明は、上記第３　４．（１）及び（２）で検討したとおり、申立人が主張する甲１または甲２に記載された発明と同一の発明ではないから、申立人の主張は採用することができない。
　なお、申立人は、特許法第１２０条の５第５項による通知書を送付したが、意見書の提出を行わなかった。
５．小括
　上記のとおり、本件特許発明１〜３、５〜８は、甲１または甲２に記載された発明ということはできないから、特許法第２９条の２の規定に該当しないものである。
第４　むすび
　以上のとおりであるから、取消理由通知に記載した取消理由（特許異議申立書に記載した特許異議申立理由と同じ）によっては、本件請求項１〜３、５〜８に係る特許を取り消すことはできない。
　また、他に本件請求項１〜３、５〜８に係る特許を取り消すべき理由を発見しない。
　よって、結論のとおり決定する。
【異議決定日】
平成２９年８月３１日（２０１７．８．３１）
【訂正の要旨】
審決（決定）の【理由】欄参照。
（５７）【特許請求の範囲】
　【請求項１】
（Ｉ）色素中に、下記式（１）で表される化合物又はその塩と、更にＣ．Ｉ．Ｒｅａｃｔｉｖｅ　Ｂｌｕｅ　１７６とを含有するインクジェット捺染用ブラックインク組成物であって、インク組成物総量中、下記式（１）で表される化合物の含有量が１〜６質量％であり、Ｃ．Ｉ．Ｒｅａｃｔｉｖｅ　Ｂｌｕｅ　１７６の含有量が５〜１５質量％であり、更に、（ＩＩＩ）ｐＨ調整剤としてトリス（ヒドロキシメチル）アミノメタンを含有するインクジェット捺染用ブラックインク組成物。
　【化１】
　【請求項２】
（Ｉ）色素中に、更にＣ．Ｉ．Ｒｅａｃｔｉｖｅ　Ｒｅｄ　３：１を、インク組成物総量中１〜１０質量％含有する請求項１に記載のインクジェット捺染用ブラックインク組成物。
　【請求項３】
更に、（ＩＩ）水溶性有機溶剤を含有する請求項１又は２に記載のインクジェット捺染用ブラックインク組成物。
　【請求項４】
（削除）
　【請求項５】
２５℃におけるインク組成物の粘度が３〜２０ｍＰａ・ｓである請求項１及至３のいずれか一項に記載のインクジェット捺染用ブラックインク組成物。
　【請求項６】
請求項１乃至３及び５のいずれか一項に記載のインクジェット捺染用ブラックインク組成物、シアンインク組成物、マゼンタインク組成物、及びイエローインク組成物を有するインクジェット捺染用インクセット。
　【請求項７】
請求項１乃至３及び５
　【請求項８】
１種以上の糊材、アルカリ性物質、還元防止剤及びヒドロトロピー剤を少なくとも含む水溶液を、インクを付与する前の繊維に付与する、繊維の前処理工程Ｄをさらに含むことを特徴とする請求項７に記載のセルロース系繊維の捺染方法。